(57)【要約】【課題】  さや管ヘッダー工法において可撓管の継手の支持高さを調整する際の作業手間を軽減して容易に高さ調整を行うことができるようにし、これにより配管作業の効率を高めるとともに、簡単な構造で製造コストの廉価化を図ることのできる管継手支持構造を提供する。【解決手段】  支持ボックス２には、管継手１の鍔部１１が係止する環状の調整リング３が設置される。この調整リング３には、支持ボックス２の上端縁に係止する係止片３１が下側に垂設されており、支持ボックス２に位置決め固定される。また、調整リング３の上部内側には、管継手１の鍔部１１に係合する係合凹部３２が凹設されており、管継手１の鍔部１１を内嵌しうるように構成される。かかる調整リング３は複数種類の厚さで形成され、適当な厚さの調整リング３を用いて管継手１を支持ボックス２に支持させ、これにより管継手１の支持高さの調整を行う構造とする。【選択図】  図１
2006242344.tif 000002
【特許請求の範囲】
【請求項１】
躯体床面と仕上床との間の所定高さ位置に円筒状の支持ボックスが設置され、この支持ボックスに、鍔部を有する管継手が嵌装されて支持されるとともに、この管継手を嵌装した支持ボックスに固定カバーが外嵌されて抜け止めされる管継手支持構造であって、
支持ボックスの上端縁に設置されて管継手の鍔部が係止しうる環状の調整リングを備え、この調整リングは複数種類の厚さで形成され、このうち適当な厚さの調整リングを支持ボックスの上端縁に設置して、これらの調整リングおよび支持ボックスに管継手を嵌装することにより、管継手が所望の高さ位置で支持固定されることを特徴とする管継手支持構造。
【請求項２】
調整リングは、支持ボックスの上端縁に係止する係止片が下側に垂設されて支持ボックスに位置決め固定されるとともに、管継手の鍔部に係合する係合凹部が上部内側に凹設されて管継手の鍔部を内嵌しうることを特徴とする請求項１に記載の管継手支持構造。
【発明の詳細な説明】
【技術分野】
【０００１】
本発明は、さや管ヘッダー工法における管継手の支持構造に関する。
【背景技術】
【０００２】
従来から、さや管ヘッダー工法において、さや管となる樹脂製可撓管を床下に配管施工し、床上の器具へと接続する際に用いられる管継手は、躯体床面の固定座金に立設した支持ボルトに架設された支持具によって支持されている。この従来の支持具は、内部に継手を収納する収納体と、収納体内に収納された継手を抜止め状態に固定する固定リングとを備えている。支持具が設置される躯体床面は、施工精度によってはそれほど平らではなく、凹凸のある場合がある。そこで、この種の支持具は、支持ボルトに挿通された調整座金と、収納体の外周に設けられた鍔部とがビス止めされ、この調整金具の上下に取付られた調整ナットを支持ボルトに対して上下させることによって、支持具の高さ調整を行えるようになっている。そして、このように高さ調整した支持具に対し、その後、仕上材の床貼り工事を行って、仕上床上に配管する直管を接続するようになされていた。
【０００３】
しかし、かかる支持具を使用する場合、継手収納体の高さ調整は床貼りする前に行わなければならず、床貼り後にはできないため、躯体床面の凹凸に気付かずに支持具を設置固定してしまうと、支持具が仕上床上に突出したり引っ込んでしまったりして、仕上床面へ化粧カバー等を納まりよく設置することができず、もう一度仕上床を剥がして、支持具の高さを調整し、仕上床を貼り直すという面倒な作業が必要になっていた。
【０００４】
そこで、最近では躯体床面の凹凸や床施工時の誤差等によって支持具の高さ調整が必要になったときに、床貼り後であってもその高さ調整が行えるように意図された、例えば特許文献１に記載されたような支持具も提案されている。
【０００５】
図２に示すように、この種の支持具８は、躯体床面に固定された固定座金８１と支持ボルト８２１および調整ナット８２２を有する支持台８２の上に、外周面に雄ねじ部８３１が形成され、内周面に雌ねじ部８３２が形成された基台８３と、この基台８３の雌ねじ部８３２に螺合して上下に動き、管継手８５が内側に挿装される調整スリーブ８４と、基台８３の雄ねじ部８３１に螺合して管継手８５を固定する固定リング８６を備えた構成とされている。固定方法は、調整スリーブ８４を基台８３に対して半分程度螺合させた状態としておき、調整スリーブ８４内に管継手８５を挿入する。次に係止爪を設けた止め具８７とビス８８とを用いて、基台８３と床下に配管した可撓管とを接続固定し、この状態で床板を貼るようになされる。
【特許文献１】特許第２６０９９７２号公報
【発明の開示】
【発明が解決しようとする課題】
【０００６】
しかしながら、上記のような支持具８を用いても、床貼り後に高さ調整を行おうとすれば、固定リング８６を取り外してから管継手８５を抜き取り、そして調整スリーブ８４を回転させて高さを調整しなければならず、螺合された部材ばかりで調整作業に手間がかかっていた。また、このとき、仕上床よりも支持具が引っ込んでしまっている場合には、調整スリーブ８４が床下にあるため、調整作業が非常にしにくいものであった。加えて、前記支持具８は、基台８３の内外両周面にねじ部を形成しなければならない構成であり、より簡単に低コストで製造でき、かつ容易に高さ調整を行うことのできる管継手の支持構造が求められていた。
【０００７】
そこで本発明は、上記のような問題点にかんがみてなされたものであり、さや管ヘッダー工法において可撓管の継手の支持高さを調整する際の作業手間を軽減して容易に高さ調整を行うことができるようにし、これにより配管作業の効率を高めるとともに、簡単な構造で製造コストの廉価化を図ることのできる管継手支持構造を提供するものである。
【課題を解決するための手段】
【０００８】
上記した目的を達成するため、本発明は、躯体床面と仕上床との間の所定高さ位置に円筒状の支持ボックスが設置され、この支持ボックスに、鍔部を有する管継手が嵌装されて支持されるとともに、この管継手を嵌装した支持ボックスに固定カバーが外嵌されて抜け止めされる管継手支持構造であって、支持ボックスの上端縁に設置されて管継手の鍔部が係止しうる環状の調整リングを備え、この調整リングは複数種類の厚さで形成され、このうち適当な厚さの調整リングを支持ボックスの上端縁に設置して、これらの調整リングおよび支持ボックスに管継手を嵌装することにより、管継手が所望の高さ位置で支持固定されることを特徴とする。
【０００９】
この構成によれば、管継手は支持ボックスの上端縁に設置された調整リングに係止して支持されるので、この調整リングの厚みによって管継手の支持高さを変えることができる。これにより、管継手の高さ位置を所望の高さに調整するには、床貼り後であっても管継手を引き上げて支持ボックスの上端縁に適当な厚さの調整リングを設置するだけで済み、簡単に高さ調整を行うことができる。また、かかる構造とすることで、支持ボックスの内側に従来の支持具にあったような雌ねじ部を形成する必要がなくなって、簡単な構造になり製造コストを低減させることもできる。
【００１０】
また、本発明は前記構成の管継手支持構造において、調整リングは、支持ボックスの上端縁に係止する係止片が下側に垂設されて支持ボックスに位置決め固定されるとともに、管継手の鍔部に係合する係合凹部が上部内側に凹設されて管継手の鍔部を内嵌しうるように形成されることが好ましい。
【００１１】
このように調整リングに係止片を設けることにより、支持ボックスの上端縁に調整リングを横ずれすることなく安定的に設置することができ、また係合凹部を設けることによって、管継手の鍔部をがたつくことなく納まりよく支持ボックスに内嵌させることができ、このように管継手を嵌装した後、固定カバーを支持ボックスに外嵌させやすくすることもできるので、作業性が格段に高められる。
【発明の効果】
【００１２】
上述のように構成される本発明の管継手支持構造によれば、管継手の支持高さを調整する際の作業手間が軽減され、必要に応じて容易に高さ調整を行うことができるので、配管作業の効率を高めることができる。また、本発明の管継手支持構造における各構成部材はそれぞれ、従来の支持具よりも簡単な構造とすることができるので製造コストの廉価化を図ることができる。
【発明を実施するための最良の形態】
【００１３】
以下、本発明に係る管継手支持構造を実施するための最良の形態について、図面を参照しつつ説明する。
【００１４】
図１は本発明の管継手支持構造を示す部分断面図、図２は図１の管継手支持構造を示す分解斜視図である。本発明の管継手支持構造は、図示しない躯体床面と仕上床５との間において実施される。仕上床５には、さや管の一端が遊動可能に挿通される開口４１が形成され、仕上床５の開口５１の直下には円筒状の支持ボックス２が躯体床面から所定の高さ位置に設置されている。
【００１５】
支持ボックス２は、内周面が直円筒状であり、外周面には雄ねじ部２１が形成されている。支持ボックス２の下部には、左右両側に鍔状に突設された固定板部２２を備え、その両端には、躯体床面に立設した支持ボルト（図示省略）を挿通しうる挿通孔２３が形成されている。
【００１６】
この支持ボックス２の内側には、上部に鍔部１１を有する管継手１が嵌装される。例示の形態では、支持ボックス２の内周面には、嵌装された管継手１の鍔部１１を支持しうる支持部２４が、軸芯方向に突設されている。さらに、この管継手１を嵌装した支持ボックス２の外側の雄ねじ部２４には、雌ねじ部４１を内周面に備えた固定カバー４が螺合されて、管継手１を抜け止めするように構成されている。
【００１７】
かかる管継手支持構造において、支持ボックス２の上端縁には、管継手１を嵌装し、かつ管継手１の鍔部１１を係止しうる環状の調整リング３が備えられる。この調整リング３は、内形および外形が円形の薄板環状リングであって、複数種類の厚さのものが形成されている。そして、これら複数種類の厚さの調整リング３の中から、高さ調整をするのに必要な厚さの調整リング３を選択して支持ボックス２の上端縁に設置し、管継手１の支持高さを調整しようとするものである。
【００１８】
この調整リング３の厚さは、例えば１ｍｍ，２ｍｍ，５ｍｍ，１０ｍｍなどのバリエーションがあれば望ましい。また、支持ボックス２の大きさにもよるが、それぞれの厚さの調整リング３が複数個ずつ用意されていれば、多様な高さの調整に対応することができるので好ましい。このとき、１個の調整リング３だけでは所望の高さ位置に達しないときには、複数個の調整リング３を積み重ねて支持ボックス２の上端縁に設置すればよい。そして、これらの調整リング３および支持ボックス２の内側に管継手１を嵌装することにより、管継手１の支持高さの調整を行うことができる構成である。
【００１９】
ここで、調整リング３は、前記したように薄板状であることに加えて、支持ボックス２の上端縁に設置されたときの安定性を考慮して、図１に示すように、支持ボックス２の上端縁に係止する係止片３１が下側に垂設されていることが好ましい。また、調整リング３の上部内側には、管継手１の鍔部１１に係合する係合凹部３２が形成されることが好ましい。
【００２０】
例示の形態では、この係合凹部３２は、調整リング３の上面の外側端部において、周方向に縁部を立設するようにして形成されており、調整リング３の所定の厚さを確保しつつ設けられている。この係合凹部３２は、管継手１の鍔部１１が係合するので、鍔部１１の外径よりも微少寸法だけ大きい内径で形成されて、容易に係合させることができるようになっている。
【００２１】
また、係合凹部３２の深さも、係合する鍔部１１の厚さと同程度となるように形成されている。この係合凹部３２の深さは、係合した鍔部１１が係合凹部３２に対して突出しすぎたり埋没しすぎたりしないように、鍔部１１の厚さを考慮して適当な深さに形成されていることが好ましい。
【００２２】
調整リング３は、このような構成とされることによって、支持ボックス２の上端縁に設置されるとき、係止片３１が支持ボックス２の内周面に係止して位置決め固定されるので、簡単に設置することができ、横ずれも防止することができる。また、調整リング３に係合凹部３２が形成されることによって、その内側に管継手１を嵌装させたときに、管継手１の鍔部１１を、がたつくことなく納まりよく内嵌することができるようになる。
【００２３】
また、例示の形態では、複数個の調整リング３が積み重ねられることも想定して、積み重ねられたときに上下の調整リング３が、互いに係止片３１と係合凹部３２とを係合させて支持されるようになされており、係合凹部３２の凹部深さと係止片３１の垂設長さとを合致させて形成されている。
【００２４】
かかる調整リング３は、躯体床面の凹凸や床板の施工誤差などによって管継手１の支持高さや仕上床５との接続高さがずれていた場合には、調整する高さ分に相当する厚さの調整リング３を支持ボックス２の上端縁に、係止片３１を係止させるようにして設置する。そして、管継手１の鍔部１１を、調整リング３の係合凹部３２に内嵌させることで、管継手１の支持高さが変わるので、容易に高さ調整を行うことができる。
【００２５】
また、支持ボックス２の上端縁にいずれかの厚さの調整リング３を設置してみても高さが足りないときには、さらに他の調整リング３を必要な高さ分だけ積み重ねて、高さ調整を行うようにする。例えば図２では、異なる厚さの調整リング３を積み重ねることにより、管継手１の支持高さの調整を行った例を示している。これにより、管継手１が調整リング３を挟んで支持ボックス２に支持され、管継手１を所望の高さで支持固定することができる。
【００２６】
このように支持ボックス２に調整リング３を必要な高さ分だけ設置し、管継手１を係止させた後、固定カバー４を支持ボックス２に螺合させて外嵌することで、管継手１が抜け止めされて支持ボックス２に固定される。
【００２７】
以上説明したように、本発明の管継手支持構造において高さ調整を行うには、適当な厚さの調整リング３を、支持ボックス２の上端縁に係止片３１を係止させるようにして設置し、そこへ管継手１を嵌装して鍔部１１を調整リング３の係合凹部３２に内嵌させるだけでよく、煩雑な作業が一切なく容易に高さ調整を行うことができ、作業性を格段に高めることができる。また、支持ボックス２に調整リング３を設置するだけであるから、床貼りの前後に関わらず、高さ調整が必要になった際にはいつでも、高さ調整を行うことができる。また、上記のような構造とすることで、支持ボックスの内側に従来の支持具にあったような雌ねじ部を形成する必要がなくなって、簡単な構造になり製造コストを低減させることもできる。
【産業上の利用可能性】
【００２８】
本発明に係る管継手支持構造は、さや管ヘッダー工法において水栓を取り付け、床下の配管を接続する管継手の支持構造として好適であり、仕上床の施工後にも容易に高さ調整を行えるようにするために利用することができる。
【図面の簡単な説明】
【００２９】
【図１】本発明に係る管継手支持構造を示す部分断面図である。
【図２】図１の管継手支持構造を示す分解斜視図である。
【図３】従来の管継手の支持具を示す分解斜視図である。
【符号の説明】
【００３０】
１    管継手
１１  鍔部
２    支持ボックス
２１  雄ねじ部
２２  固定板部
２３  挿通孔
２４  支持部
３    調整リング
３１  係止片
３２  係合凹部
４    固定カバー
５    仕上床
５１  開口
【図１】
2006242344.tif 000003
【図２】
2006242344.tif 000004
【図３】
2006242344.tif 000005